(57)【特許請求の範囲】
【請求項１】
左右の肩線のそれぞれから裾にかけて切替線を有し、左脇布、右脇布、後丈が出来上がり寸法よりも長い中央布からなる後身頃と、
前記中央布の裾の位置を前記左脇布及び前記右脇布の裾の位置と揃えるために左右の前記切替線に施された装飾縫いと、
左右の前記切替線のそれぞれを谷として山が外側に折畳まれていると共に、互いの山が対向している左右の切替タックと、
前記左右の切替タックの山に取付けられて前記左右の切替タック間の幅を維持する帯状体と
を具備することを特徴とする上衣。
【請求項２】
前記装飾縫いがいせ込みである
ことを特徴とする請求項１に記載の上衣。
【請求項３】
前記装飾縫いがギャザーである
ことを特徴とする請求項１に記載の上衣。
【請求項４】
前記装飾縫いは、左右の前記切替線の肩線からウエストラインの間に施されており、
前記帯状体が取付けられている位置は、ウエストラインである
ことを特徴とする請求項１乃至請求項３の何れか一つに記載の上衣。
【請求項５】
前記帯状体が着脱可能に取付けられている
ことを特徴とする請求項１乃至請求項４の何れか一つに記載の上衣。
【発明の詳細な説明】
【技術分野】
【０００１】
本発明は、背骨や腰が屈曲して背中が丸くなった人に適した上衣に関するものである。
【背景技術】
【０００２】
高齢者は、腰や背骨を支えている筋力が低下することにより、背骨が曲がり前傾姿勢になり易い。加えて、両肩も身体の前側に湾曲して肩甲骨が開くため、所謂背中が丸い状態になり易い。このため、高齢者が通常の形状の上衣１００を着用すると（図６参照）、前傾姿勢により後身頃が上方に引張られるため後丈が不足して裾が上がり、体形の変化が強調されることがあった。また、肩甲骨周りの布（背幅）が不足するため、腕を動かす際に布が突っ張り、不便に感じることがあった。
【０００３】
このため、背中が丸い高齢者はサイズの大きい上衣を着用することがあった。しかしながら、サイズの大きい上衣では、着用者の身体のサイズよりも着丈が長くなるため見た目にもバランスが損なわれ易く、また、袖丈が長くなるため腕を動かす際に袖が邪魔になり不便に感じることがあった。
【０００４】
そこで、特許文献１及び特許文献２のように、後身頃の袖付け位置より下方の決められた場所に横方向に複数のタックを形成した上衣が提案されている。
【０００５】
しかしながら、上記の上衣では、しわの寄り易い脇の部分にタックを設けているだけなので背中の丸みに十分に対応できるものではなかった。また、脇の部分のタックが目立ち、強調されるものであった。
【先行技術文献】
【特許文献】
【０００６】
【特許文献１】特開２００５−１０５５０３号公報
【特許文献２】特開２００６−２３３３９９号公報
【発明の概要】
【発明が解決しようとする課題】
【０００７】
そこで、本発明は、上記の実情に鑑み、背中が丸い人が着用した場合に、着用者の体形に柔軟に対応することができると共に、意匠性にも優れた上衣の提供を、課題とするものである。
【課題を解決するための手段】
【０００８】
請求項１の発明にかかる上衣は、
「左右の肩線のそれぞれから裾にかけて切替線を有し、左脇布、右脇布、後丈が出来上がり寸法よりも長い中央布からなる後身頃と、
前記中央布の裾の位置を前記左脇布及び前記右脇布の裾の位置と揃えるために左右の前記切替線に施された装飾縫いと、
左右の前記切替線のそれぞれを谷として山が外側に折畳まれていると共に、互いの山が対向している左右の切替タックと、
前記左右の切替タックの山に取付けられて前記左右の切替タック間の幅を維持する帯状体とを具備する」ものである。
【０００９】
「左脇布」は、後身頃の左の切替線から左側を指す。「右脇布」は、後身頃の右の切替線から右側を指す。「中央布」は、左脇布及び右脇布を除く後身頃の中心部分を指す。
【００１０】
「装飾縫い」としては、いせ込みや、ギャザーがある。
【００１１】
本構成の上衣は、後身頃が左脇布、右脇布、中央布から構成されている。また、縫合わせる前の中央布の後丈は、後身頃の後丈の出来上がり寸法よりも長い。そして、中央布は、切替線に装飾縫いが施されて裾の位置が左脇布及び右脇布の裾の位置と揃えられており、膨らみが形成されている。更に、切替タックが左右の切替線のそれぞれを谷として、谷を覆うように山が外側に折畳まれている。また、左右の切替タックは、山が向かい合った状態で折畳まれている。そして、帯状体が左右の切替タックの山に取付けられている。
【００１２】
従って、本構成の上衣では、中央布の膨らみと切替タックにより、後身頃にゆとりを持たせている。これにより、背中が丸くなった着用者の体形に柔軟に対応することができる。つまり、中央布の膨らみが着用者の背中の丸みに沿うため、後丈が不足せず裾が略水平になる。また、腕を動かす際に肩甲骨周りの後身頃が突っ張らない。
【００１３】
更に、切替タックは、切替線を谷として山が外側に折畳まれていることにより、切替線を隠すことができる。
【００１４】
また、本構成の上衣は、左右の切替タックに取付けられた帯状体を備えている。これにより、切替タックが裾に向かって広がることを防止することができる。そして、切替タックが広がることを防止することにより、前身頃と後身頃の左脇布及び右脇布の部分を着用者の体形に自然にフィットさせつつ、中央布のゆとりの独立性を高めて背中の丸みに沿わせることができる。
【００１５】
請求項２の発明にかかる上衣は、上記構成において、「前記装飾縫いがいせ込みである」ものである。
【００１６】
本構成の上衣では、装飾縫いがいせ込みであることにより、切替タックに自然な膨らみを形成することができる。これにより、上衣を着用者の背中の形状に自然に沿わせることができる。
【００１７】
請求項３の発明にかかる上衣は、上記構成において、「前記装飾縫いがギャザーである」ものである。
【００１８】
本構成の上衣では、装飾縫いがギャザーであることにより、切替線の部分に複数の横方向の細かいラインが形成される。これにより、切替タックの直線的な形状に横方向の変化をつけて意匠性の高いものとすることができる。
【００１９】
請求項４の発明にかかる上衣は、上記構成において、「前記装飾縫いは、左右の前記切替線の肩線からウエストラインの間に施されており、前記帯状体が取付けられている位置は、ウエストラインである」ものである。
【００２０】
「ウエストライン」は、上衣を着用した際に、上衣の中でウエスト（胴回りの一番細い部分）が位置する場所を指す。
【００２１】
本構成の上衣では、切替タックの肩線からウエストラインあたりまでの間に装飾縫いが施されており、ウエストラインあたりから裾までは通常の縫い方で縫合わされている。これにより、ウエストラインから下の部分を引締まった印象を与える形状にすることができる。加えて、ウエストラインに帯状体が取付けられていることにより、よりウエストが引締まった印象を与えることができる。
【００２２】
請求項５の発明にかかる上衣は、上記構成において、「前記帯状体が着脱可能に取付けられている」ものである。
【００２３】
「着脱可能に取付けられている」帯状体としては、帯状体の両端に貫通孔が形成されており、左右の切替タックの山に取付けられた釦に留めることにより着脱可能に取付けられた帯状体がある。また、左右の切替タックと帯状体の両端に面ファスナが取付けられており、面ファスナの着脱により取付けられた帯状体がある。
【００２４】
本構成の上衣では、帯状体が着脱可能に取付けられている。これにより、帯状体を取外して上衣のデザインを変化させることができる。また、背幅のゆとりを帯状体の着脱により調整することができる。
【発明の効果】
【００２５】
以上のように、本発明の効果として、背中が丸い人が着用した場合に、着用者の体形に柔軟に対応することができると共に、意匠性にも優れた上衣を、提供することができる。
【図面の簡単な説明】
【００２６】
【図１】本発明の一実施形態である上衣の正面図である。
【図２】図１の上衣の背面図である。
【図３】図１の上衣の後身頃の正面図である。
【図４】図１の上衣の後身頃（右半身）の（ａ）は出来上がり寸法を示す図、（ｂ）は中央布と右脇布の形状を示す図である。
【図５】図１の上衣を着用した人を示す図である。
【図６】従来の上衣を着用した人を示す図である。
【発明を実施するための形態】
【００２７】
以下、本発明の一実施形態である上衣１について図１乃至図４を用いて説明する。
【００２８】
本実施形態の上衣１は、図１及び図２に示すように、前身頃１０、後身頃２０、襟１１、袖１２とを有するブラウスである。後身頃２０以外の部分は、本発明と直接関係しないため、以下では説明を省略する。
【００２９】
本実施形態の上衣１の後身頃２０は、図２及び図３に示すように、左右の肩線２４のそれぞれから裾２５にかけて切替線３０を有し、左脇布２１と、右脇布２２と、中央布２３から構成されている。中央布２３は、後丈が出来上がり寸法よりも長い。そして、左右の切替線３０には、装飾縫いとしていせ込み３１が施されており、左脇布２１及び右脇布２２と中央布２３の裾２５の位置が揃えられていると共に、中央布２３に膨らみが形成されている。また、左右の切替タック３２が左右の切替線３０のそれぞれを谷として山が外側に形成されていると共に、互いの山が対向している。更に、左右の切替タック３２に両端が縫着された帯状体３３を具備している。
【００３０】
左右の切替タック３２は、中央布２３を内側に、左脇布２１及び右脇布２２を外側にして互いの山が対向するように折畳まれている。つまり、上衣１を着用した際に、左右の切替タック３２の山は外側になる。そして、左の切替タック３２の山は、左の肩線２４のサイドネックポイントＳＰから左のアームホール２７側へ６０ｍｍ離れた場所に位置している。右の切替タック３２の山は、右の肩線２４のサイドネックポイントＳＰから右のアームホール２７側へ６０ｍｍ離れた場所に位置している。また、折畳まれた左右の切替タック３２の幅は、２０ｍｍに調整されている。つまり、左右の切替タック３２を広げるとそれぞれ４０ｍｍの幅になり、左右両方では８０ｍｍのゆとりがある。そして、左右の切替タック３２の山は、肩線２４から裾２５側へ５０ｍｍ程度が中央布２３に縫着されている。なお、切替タック３２の山の位置と幅は、着用者の体形に合わせて調整することができる。例えば、切替タック３２の山の位置は、サイドネックポイントＳＰから３０ｍｍ〜１２０ｍｍの位置にすることができる。また、切替タック３２の幅は、２０ｍｍ〜４０ｍｍとすることができる。
【００３１】
中央布２３の後丈は、後身頃２０の後丈の出来上がり寸法より６０ｍｍ長い。そして、いせ込み３１が切替線３０の肩線２４からウエストライン２６の間に施されて中央布２３に膨らみが形成されていると共に、ウエストライン２６から裾２５までは通常の縫い方で縫合わされて、中央布２３の裾の位置が左脇布２１及び右脇布２２と揃えられて直線状になっている。なお、中央布２３の後丈は、着用者の体形に合わせて５０ｍｍ〜１２０ｍｍ長くすることができる。
【００３２】
帯状体３３は、背幅方向に長い略五角形状であり、ウエストライン２６の位置で左右の切替タック３２の山に両端が縫着されている。
【００３３】
本実施形態の上衣１では、切替線３０にいせ込み３１を施して中央布２３を膨らませると共に、切替線３０に沿って切替タック３２を形成することにより後身頃２０にゆとりを持たせている。これにより、背中が丸い着用者が本実施形態の上衣１を着用した際に、中央布２３の膨らみが背中の丸みに沿う。そして、裾２５が上がらずに略水平になるため見た目にも美しい（図５参照）。また、着用者が腕を動かした場合に切替タック３２が広がるため、肩甲骨周りの後身頃２０が突っ張らない。このため、腕を動かし易く、不便を感じにくい。
【００３４】
更に、左右の切替タック３２は、谷である切替線３０を内側にして山が谷を覆うように外側に折畳まれていることにより、切替線３０を見えにくくするができる。特に、左右の切替タック３２の山は、肩線２４から裾２５側に５０ｍｍ程度が中央布２３に縫着されているため、左右の切替タック３２の形状が保たれ、いせ込み３１をより見えにくくすることができる。なお、切替タック３２は、布を折りたたむだけの通常のタックと比較して形状を保ち易い。
【００３５】
加えて、本実施形態の上衣１では、帯状体３３が左右の切替タック３２を繋いでおり、切替タック３２が裾２５に向かって広がることを防止している。そして、切替タック３２が広がらないことにより、前身頃１０と左脇布２１及び右脇布２２を着用者の体形にフィットさせると共に、中央布２３のゆとりの独立性を高めることができる。更に、帯状体３３は、ウエストライン２６に縫着されていることにより、ウエストが引締まった印象を与えるデザインになっている。特に、本実施形態の上衣１では、切替線３０の肩線２４からウエストライン２６の間にいせ込み３１が施されており、ウエストライン２６から裾２５にかけては通常の縫い方で縫合わされていることにより、ウエストの周りがより引締まった印象を与えるデザインになっている。なお、帯状体３３を取付ける位置は特に限定されないが、ウエストライン２６に縫着する場合は、上記の作用効果を奏するため好適である。
【００３６】
ここで、いせ込み３１は、肩線２４から裾２５にかけて切替線３０の全てに施してもよい。または、着用者の一人一人の体形に合わせて部分的にいせ込み３１を施してもよい。例えば、腰の曲がりが大きい着用者の場合は、腰の部分にいせ込み３１を施してゆとりを持たせてもよい。このように、任意の場所にいせ込み３１を施すことにより、着用者の体形に柔軟に対応することができる。なお、いせ込み３１は、ニットなどの伸縮性がある生地を縫う場合に適している。
【００３７】
また、装飾縫いはギャザーにしてもよい。装飾縫いがギャザーの場合もギャザーを施した部分にゆとりを持たせることができる。加えて、ギャザーを施すことにより、横方向の複数のラインが形成されるため、切替タック３２の直線的な形状に変化を加えて意匠性の高いものとすることができる。なお、ギャザーは、綿などの伸縮性がない生地の場合に適している。そして、切替線３０に横方向のタックを形成してもよい。この場合もタックを形成した部分にゆとりを持たせることができる。横方向のタックを形成する場合は、細かい横方向のタックを複数形成すると切替タック３２により横方向のタックが隠れるため好ましい。
【００３８】
更に、帯状体３３の形状は、台形、三角形、長方形等にしてもよい。または、帯状体３３に装飾を施してもよい。そして、帯状体３３は、着脱可能に切替タック３２の山に取付けてもよい。例えば、左右の切替タック３２の山に釦を取付け、帯状体３３の両端に貫通孔を形成して、両端の貫通孔に釦を留めることにより、帯状体３３を着脱可能に取付けてもよい。この場合は、帯状体３３を着脱することにより、上衣１のデザインを変更することができる。また、帯状体３３を取外すことにより、切替タック３２を広がり易くすることができる。このように、帯状体３３の着脱により、背幅のゆとりを調整することができる。
【００３９】
次に、本実施形態の上衣１の後身頃２０の作製工程について図３及び図４を用いて説明する。なお、後身頃２０はネックポイントＮＰを通る縦線を中心として左右対称であるため、図４では右半身のみを図示し、主に右半身について説明するが、左半身も同様の工程で作製する。
【００４０】
第一工程として、図４（ａ）に示すように、後身頃２０の出来上がり寸法を決め、型紙５０を作製する。そして、右の肩線２４から裾２５にかけて形成する切替タック３２の山の位置（肩線２４のサイドネックポイントＳＰからの長さＬ１）を決めて型紙５０に山線４０を引く。本実施形態の上衣１では、長さＬ１が６０ｍｍになっている。
【００４１】
中央布２３の後丈は、出来上がり寸法の長さＬ２よりも長さＬ３だけ長くする。この延長部分の長さＬ３は、装飾縫いを施して形成される膨らみになる。本実施形態の上衣１では、長さＬ３は６０ｍｍになっている。
【００４２】
そして、帯状体３３の形状と取付け位置を決める。本実施形態の上衣１では、帯状体３３は背幅方向に長い略五角形状になっており、取付け位置はウエストライン２６である。
【００４３】
第二工程として、山線４０に沿って型紙５０を切断する。山線４０よりもアームホール２７側が右脇布２２の型紙５２であり、サイドネックポイントＳＰ側が中央布２３の型紙５３になる。また、山線４０が斜めに引かれていることにより、中央布２３の型紙５３は略台形になっている。
【００４４】
第三工程として、図４（ｂ）に示すように、切替タック３２の幅Ｌ４を決めて、中央布２３の型紙５３と右脇布２２の型紙５２の山線４０からＬ４の長さを延長する。本実施形態の上衣１では、切替タック３２の幅Ｌ４は上記のように２０ｍｍになっている。
【００４５】
第四工程として、切替タック３２の幅Ｌ４を延長した型紙５２，５３に縫代分を加えて布を裁断し、中央布２３、左脇布２１、及び右脇布２２を形成する。また、帯状体３３を形成する。
【００４６】
第五工程として、右脇布２２の幅Ｌ４部分を内側に折曲げた状態で中央布２３のＬ４部分に重ねる。そして、中央布２３の右側の縫線４１と右脇布２２の縫線４１部分を仮縫いして、いせ込み３１を施す場所や裾２５の位置を調整する。その後、いせ込み３１を施しながら縫線４１を本縫いする。この本縫いの縫い目が切替線３０である。このように縫うことにより、切替線３０が切替タック３２の谷になると共に、切替タック３２の山が中央を向いた状態になる。本実施形態の上衣１では、肩線２４からウエストライン２６にかけていせ込み３１が施されている。同様に、左側の切替タック３２を形成する。
【００４７】
最後に、第六工程として、ウエストライン２６上の左右の切替タック３２の山に帯状体３３の両端を縫着する。
【００４８】
上記の工程により得られた後身頃２０を前身頃１０、襟１１、袖１２と縫合せることにより、本実施形態の上衣１を製作することができる。
【００４９】
なお、本実施形態の上衣１は、着用者の体形に合わせて、形状をより柔軟に変えることができる。例えば、前傾姿勢になった着用者の体形に合わせて前身頃１０のバストポイントを下げてもよい。また、胴回りが太い着用者に合わせて、中央布２３を略長方形にしてウエストライン２６の長さを長くしてもよい。更に、中央布２３が左右の肩線２４から裾２５にかけて切替線を有し、三枚の部分から構成されてもよい。そして、それぞれの切替線に沿って切替タックを形成し、後身頃が四つの切替タックを有してもよい。この場合は、切替タックの数を増やすことにより、後身頃の背幅によりゆとりを持たせることができる。
【００５０】
以上、本発明について好適な実施形態を挙げて説明したが、本発明は上記の実施形態に限定されるものではなく、本発明の要旨を逸脱しない範囲において、種々の改良及び設計の変更が可能である。
【００５１】
例えば、上記では、上衣がブラウスの場合を例示したが、ジャケットやコートにも本発明を適用することができる。
【符号の説明】
【００５２】
１  上衣
１０  前身頃
１１  襟
１２  袖
２０  後身頃
２１  左脇布
２２  右脇布
２３  中央布
２４  肩線
２５  裾
２６  ウエストライン
３０  切替線
３１  いせ込み（装飾縫い）
３２  切替タック
３３  帯状体
【図１】
0006524375.tif 000002
【図２】
0006524375.tif 000003
【図３】
0006524375.tif 000004
【図４】
0006524375.tif 000005
【図５】
0006524375.tif 000006
【図６】
0006524375.tif 000007